(57)【特許請求の範囲】
【請求項１】
基板（２）と、
前記基板（２）に配置された複数のＬＥＤ（３ａ）と、
前記基板（２）の背面に設けられ、平板状で板状ベース（４ｆ）の長手方向の両端に連結部（４ａ）が設けられ、前記板状ベース（４ｆ）の外側には、外向きに複数枚のフィンの放熱部（４ｄ）が配設された放熱部材（４）と、
を有する照明ユニット（１）を備えたＬＥＤ照明装置（１０）であって、
複数の前記照明ユニット（１）は、前記連結部（４ａ）をそれぞれ連結して形成することによって、環状に接続して形成され、
前記ＬＥＤ（３ａ）は、前記環状に組み付けられた前記照明ユニット（１，１，…）の内側に配置され、
前記ＬＥＤ（３ａ）の照射側に設けられ、前記ＬＥＤ（３ａ）の照射された光を反射させるリフレクタ（６）と、
前記リフレクタ（６）は、前記基板（２）に電気的に接続されたソケット（８）の中心に設けたガイド（８ａ）上を移動可能に装着され、
設置場所に設置後に配光角を調整するために前記リフレクタ（６）の位置を照明方向に沿って可動する可動手段と、を備えたことを特徴とするＬＥＤ照明装置（１０）。
【発明の詳細な説明】
【技術分野】
【０００１】
本発明は、複数の発光ダイオードを使用したＬＥＤ照明装置に関する。
【背景技術】
【０００２】
近時、水銀灯やハロゲンランプを使用した従来の投光器、スポットライトやサーチライト等の照明装置の代わりに、複数の発光ダイオード（以下、ＬＥＤ：Light Emitting diode）を使用したＬＥＤ投光器、ＬＥＤスポットライト、ＬＥＤサーチライト等のＬＥＤ照明装置が知られている。ＬＥＤは、電流を流すと発光する半導体素子の一種で、その特徴は、従来の投光器と比較すると消費電力の低さが約２０〜５０％、寿命の長さが数倍あり、また、水銀を使用しない場合もあり、環境にやさしいという特徴をもっている。
例えば、ＬＥＤ投光器は、従来の投光器よりも省エネルギーであるため、地球温暖化の原因とされる温暖化ガスの二酸化炭素（ＣＯ２）の発生量を大幅に削減できる。
このような理由から、従来の比較的ワット数の大きな照明装置である体育館や工場の投光器、公会堂や舞台や看板用のスポットライト、公園や道路等公共施設の街灯等の照明装置は、ＬＥＤ照明装置への置き換えが進んでいる。
【０００３】
図１２は、従来のＬＥＤ投光器を示し、（ａ）は断面図、（ｂ）は下面図である。従来のＬＥＤ投光器１００は、ラッパ状の下面が円形状に開口され、上面が山形状の曲面で、頂上が円筒状に縮径して形成され、電源回路等が格納されている。
また、ラッパ状の下面の開口部はプリント基板１９で閉鎖され、プリント基板１９の表面には、複数個のＬＥＤ２０とレンズ２１が配置されている。また、ＬＥＤ２０からの発熱を放熱するために、プリント基板１９の背面にはヒートシンク（放熱器）１８が配置されている（特許文献１参照）。
つまり、従来のＬＥＤ投光器１００のＬＥＤ２０は、前記下面の開口部に配置され、ＬＥＤ２０の照射方向は、ＬＥＤ投光器１００の軸線下向き方向にある。
【０００４】
図１３は、従来の投光器のリフレクタの活用法を示す説明図である。図１３に示すように、従来のリフレクタの活用したＬＥＤ照明装置３１は、例えば、可視光ＬＥＤ３４を赤外ＬＥＤ３２の横に配置し、この可視光ＬＥＤ３４から照射される可視光をリフレクタ３５によって反射させて赤外ＬＥＤ３２に照射し、その反射光を赤外ＬＥＤ３２から出射する赤外線と共に集光レンズ３３によって集光し、同一方向へ照射させる方法が知られている（特許文献２参照）。
【先行技術文献】
【特許文献】
【０００５】
【特許文献１】特開２０１０−２５１１９１号公報（図１、図４、図３）
【特許文献２】特開２０１０−１３７７２９号公報（図１）
【発明の概要】
【発明が解決しようとする課題】
【０００６】
しかしながら、従来の図１２に示すＬＥＤ投光器１００は、ＬＥＤ２０からの発熱が多いため、熱を外部に放熱させるためのヒートシンク（放熱器）１８が設けられている。大容量のＬＥＤ投光器１００は、ＬＥＤ２０の個数も９６個と多く発熱量が多いため、このヒートシンク１８は大型になる。ヒートシンク１８は、ほとんどの場合、アルミダイキャスト製のものが使用されており、ＬＥＤ投光器１００もワット数が大型、中型、小型のものをサイズ違いで用意することになるため、ＬＥＤ２０を配置するプリント基板１９と共に、アルミダイキャストのヒートシンク１８の種類が多くなるという問題があった。
また、図１３では、集光レンズ３３またはリフレクタ２５は配光角別に設計されているため、後から配光角を調整することができないという問題があった。
【０００７】
そこで、本発明のＬＥＤ照明装置は、ワット数に大型、中型、小型のサイズ違いがあっても、パーツのユニット化により共通化を図り、種類を少なくして製造コスト、管理コストの低減を図ることができるＬＥＤ照明装置を提供すること。さらに、ＬＥＤ基板にヒートシンクを直に接合して、放熱伝達経路の短縮を図り、ヒートシンクを小型化することを課題とする。
【課題を解決するための手段】
【０００８】
請求項１に記載のＬＥＤ照明装置（１０）の発明は、基板（２）と、前記基板（２）に配置された複数のＬＥＤ（３ａ）と、前記基板（２）の背面に設けられ、平板状で板状ベース（４ｆ）の長手方向の両端に連結部（４ａ）が設けられ、前記板状ベース（４ｆ）の外側には、外向きに複数枚のフィンの放熱部（４ｄ）が配設された放熱部材（４）と、を有する照明ユニット（１）を備えたＬＥＤ照明装置（１０）であって、複数の前記照明ユニット（１）は、前記連結部（４ａ）をそれぞれ連結して形成することによって、環状に接続して形成され、前記ＬＥＤ（３ａ）は、前記環状に組み付けられた前記照明ユニット（１，１，…）の内側に配置され、前記ＬＥＤ（３ａ）の照射側に設けられ、前記ＬＥＤ（３ａ）の照射された光を反射させるリフレクタ（６）と、前記リフレクタ（６）は、前記基板（２）に電気的に接続されたソケット（８）の中心に設けたガイド（８ａ）上を移動可能に装着され、設置場所に設置後に配光角を調整するために前記リフレクタ（６）の位置を照明方向に沿って可動する可動手段と、を備えたことを特徴とする。
【発明の効果】
【００１６】
請求項１に係る発明によれば、ＬＥＤ照明装置は、平板状で板状ベースの長手方向の両端に連結部が設けられ、板状ベースの外側には、外向きに複数枚のフィンの放熱部が配設された放熱部材とがユニット化された照明ユニットを備え、複数の照明ユニットの連結により環状に接続され、環状形状ではＬＥＤは照明ユニットの内側に配置され、ＬＥＤの照射された光を反射させるリフレクタと、リフレクタは、基板に電気的に接続されたソケットの中心に設けたガイド上を移動可能に装着され、リフレクタの反射板が照明方向に沿って可動する可動手段と、を備えたＬＥＤ照明装置を提供することができる。
また、ＬＥＤ照明装置は、ユニット化による照明ユニットを備え、照明ユニットの放熱部材の連結部で、任意複数個を組み合わせて形成することにより、大型、中型、小型のサイズ違いであっても、ユニット化により共通化を図り、種類を少なくして製造コスト、管理コストの低減を図ることができる。
【００１７】
また、複数の照明ユニットにより構成するＬＥＤ照明装置は、面状に形成したことにより、天井からの吊り下げ式、天井への埋め込み式、壁面への壁掛け式、床面への埋め込み式等に対応可能である。
また、環状に形成したことにより、天井からのダウンライト、天井吊り下げ式、壁面埋め込み式のサイドライト、壁掛け式のサイドライト、床下埋め込み式のアップライト等に用いることができる。
さらに、照明ユニットのＬＥＤを環状の放熱部材の内側に配置したことにより、放熱部が外側に配置されるため、放熱を促進できる。
また、リフレクタによる配光角の調整は、ＬＥＤ照明装置を設置場所に設置した後であっても、点灯して配光角を確認しながら容易に調整することができるＬＥＤ照明装置を提供することができる。
【図面の簡単な説明】
【００２４】
【図１】本発明の照明ユニットを示し、（ａ）は正面図、（ｂ）は平面図、（ｃ）は背面図である。
【図２】４個の照明ユニットを、平面視して環状の四角形の形状に組み付けた場合のＬＥＤ照明装置を示す平面図である。
【図３】図２に示す四角形の照明ユニットに、カバーおよびソケットを組み付けたＬＥＤ照明装置を示し、（ａ）は平面図、(ｂ)は正面図である。
【図４】本発明のダミーユニットを示し、（ａ）は正面図、（ｂ）は平面図、（ｃ）は背面図である。
【図５】照明ユニットとダミーユニットとを、平面視して四角形の形状に組み付けた場合のＬＥＤ照明装置を示す平面図である。
【図６】図５に示す四角形の構成に、カバーおよびソケットを組み付けたＬＥＤ照明装置を示し、（ａ）は平面図、(ｂ)は半断面を含む正面図、（ｃ）は（ｂ）に示すＡ矢視図である。
【図７】３個の照明ユニットを組み付けて環状の三角形にした平面図である。
【図８】６個の照明ユニットを組み付けて環状の六角形にした平面図である。
【図９】８個の照明ユニットを組み付けて環状の八角形にした平面図である。
【図１０】面状のＬＥＤ照明装置を示し、（ａ）は平面状、（ｂ）は曲面状を示す平面図である。
【図１１】変形例を示す平面図である。
【図１２】従来のＬＥＤ投光器を示し、（ａ）は断面図、(ｂ)は下面図である。
【図１３】従来のリフレクタの利用法を示す説明図である。
【発明を実施するための形態】
【００２５】
本発明の実施の形態を図面に基づいて詳細に説明する。
＜照明ユニットの構成＞
図１は、本発明のＬＥＤ照明装置を構成する照明ユニットを示し、（ａ）は正面図、（ｂ）は平面図、（ｃ）は背面図である。図１の（ｂ）に示すように、本発明のＬＥＤ照明装置１０の主要な構成要素である照明ユニット１は、基板２と、基板２に配置されたＬＥＤ３ａと、基板２の背面に設けられ、両端に連結部４ａを有する放熱部材４と、ＬＥＤ３ａの照射口に形成されたレンズ５とを備えている。
【００２６】
＜基板の構成＞
基板（以下、プリント基板という）２は、図１の（ａ）、（ｂ）に示すように、矩形のプリント基板２であり、プリント基板２の前面には複数個のＬＥＤ３ａが配置されている。また、プリント基板２の背面には放熱部材（ヒートシンク）４に固定されている。
プリント基板２の厚みは１ｍｍ程度であり、厚すぎると放熱部材４への熱伝導が悪くなる。
【００２７】
＜ＬＥＤの構成＞
図１の（ａ）に示すように、照明ユニット１は、ＬＥＤモジュール３を実装した搭載基板３ｂ上に複数個のＬＥＤ（発光ダイオード）３ａ，３ａ…が直線状に配置され、さらに、プリント基板２にはＬＥＤモジュール３が３列になって直線状に配置されている。ＬＥＤモジュール３の配列は、縦列のほかに、横列にしても構わない。また、個々のＬＥＤ３ａを格子状等その他の配置にしても構わない。また、照明用としてＬＥＤ３ａは、白色ＬＥＤが使用される。しかし、用途によっては青色、赤色等のＬＥＤ３ａを使用してもよい。
ＬＥＤ３ａは、照明用表面実装型ＬＥＤである。前記ＬＥＤ３ａの特徴は、約３ｍｍ角のサイズであり、光源は約０．３ｍｍのサイズであるにも拘わらず、高輝度である点である。前記ＬＥＤ３ａの上にレンズ５を形成している。
なお、このＬＥＤ３ａは、このタイプに限定するものではない。
【００２８】
＜放熱部材の構成＞
図２に示すように、ＬＥＤ照明装置１０は、４個の照明ユニット１を平面視して四角形の形状に組み付け、環状の四角形に形成している。
図１の（ｂ）に示すように、放熱部材４は、一端の左側に凸状連結部４ｂ、他端の右側に凹状連結部４ｃがそれぞれ形成されている。また、放熱部材４の表面にプリント基板２が固定され、さらに、連結部４ａの背面にＬＥＤ３ａの熱を放熱する複数枚のフィン４ｄが設けられ、ヒートシンクになっている。
放熱部材４は連続成形材料であり、連続成形の例えば、押出材、引抜材によって形成されている。放熱部材４には、複数枚のフィン４ｄが設けられている。放熱部材４の材質は、アルミ合金（ＡＬ）が軽量で放熱性がよいため、好適であるが、例えばマグネシウム合金、その他の材質であっても構わない。
図１の（ａ）に示すように、放熱部材４のピッチ長さＬ１は、８０〜１００ｍｍ、放熱部材４の幅Ｌ２は、２０〜１００ｍｍが好適である。
例えば、放熱部材４のピッチ長さＬ１を１００ｍｍの一種類にすることにより、連続成形材料の種類は一種類にできる。また、幅Ｌ２を５０ｍｍの一種類または数種類に限定することにより、照明ユニット１と、後記するダミーユニット１ａの種類を数種類に抑えることができる。
【００２９】
＜凸状連結部の構成＞
図１の（ｂ）に示すように、凸状連結部４ｂは、端面形状が円柱状に形成され、回動自在の回動軸であり、連結部４ａの板状ベース４ｆに一体に形成されている。また、凸状連結部４ｂの端部には、カバー７（図３参照）が固定され、４個の照明ユニット１を一体に固定するための穴４ｅが設けられている。
【００３０】
＜凹状連結部の構成＞
凹状連結部４ｃの端面形状は、パイプ状の約１１０度分が削除されて凹状に開口して形成され、連結部４ａの板状ベース４ｆに一体に形成されている。凹状連結部４ｃの内径は、前記した凸状連結部４ｂが嵌合される外径と同一である。そのため、凹状連結部４ｃも回動自在の回動軸となっている。
凹状連結部４ｃに他の凸状連結部４ｂを連結する場合は、凹状連結部４ｃの端部から凸状連結部４ｂを軸方向へ挿入することにより、容易に連結される。
【００３１】
図２は、照明ユニット１を組み合わせて環状の四角形に形成の場合のＬＥＤ照明装置１０を示す平面図である。
図２に示すように、ＬＥＤ照明装置１０は、例えば、４個の照明ユニット１を連結して構成する。４個の照明ユニット１では、凸状連結部４ｂと凹状連結部４ｃとの連結により容易に環状の四角形が形成できる。
【００３２】
図３は、図２に示す四角形の照明ユニットに、カバーおよびソケットを組み付けたＬＥＤ照明装置を示し、（ａ）は平面図、(ｂ)は正面図である。
図３の（ｂ）に示すように、ＬＥＤ照明装置１０は、図２に示す４個の照明ユニット１が形成する接続部４ａの上に合致する４箇所にリップ７ａを設け、リップ７ａに通し穴を設けたカバー７と、このカバー７の上端部に一体に成形されたソケット８を組み付けている。
カバー７のリップ７ａは、凸状連結部４ｂに加工された４箇所の穴４ｅに、例えば、４個のねじ７ｂをそれぞれ螺着する、などによって固定されている。
ソケット８は、ネジ込み式の口金で、従来の電球と置き換えることができる。
また、図３に示すソケット８とリフレクタ６の間の空間（スペース）には、図示しないＬＥＤの電源回路等が配置されている。また、プリント基板２とソケット８とは前記電源回路を介して図示しない電線によって電気的接続がなされている。
【００３３】
＜リフレクタの構成＞
リフレクタ６は、光を反射させる反射板である。図３の（ｂ）に示すように、リフレクタ６は、目標物を照らすために、照明ユニット１のＬＥＤ３ａの照射方向を、例えば、９０度変換して反射させる反射板である。つまり、照明ユニット１のＬＥＤ３ａは、ＬＥＤ照明装置１０の軸線に対して直角方向に照射するように配置されているため、このリフレクタ６により、ＬＥＤ３ａの照射方向をＬＥＤ照明装置１０の軸線に照射するように変更することができる。
リフレクタ６は、放物曲面状または楕円曲面状に、または、多数の平面鏡の組み合わせで形成されている。リフレクタ６は、リフレクタ６の表面に光反射処理のアルミ、銀等の金属の蒸着やメッキ処理、白色塗料の塗布等を施し、光反射性を持たせることによって反射面とすればよい。
【００３４】
＜リフレクタの可動手段１＞
図３の（ｂ）に示すように、ソケット８の窪みの中央に丸棒のガイド８ａが配置され、ソケット８の窪み８ｄに絶縁樹脂材８ｅが充填されて固定されている。この丸棒のガイド８ａには、ＬＥＤ照明装置１０の取り付け後であっても配光角を調整することができるリフレクタ６が装着されている。
リフレクタ６の配光角を調整するために照明方向へ位置を変える可動手段１は、図３の（ｂ）に示すように、リフレクタ６をガイド８ａに通して設け、このガイド８ａに沿ってリフレクタ６をストロークａの範囲内で可動させる。
つまり、リフレクタ６の先端部にはビス８ｂが螺着されている。そこで、指でビス８ｂをつまみ、ガイド８ａとのクランプを弛めてからリフレクタ６を移動し、配光角を調整してからクランプする。なお、ガイド８ａの下方先端部には、落下防止のために、ストッパ８ｃが設けられている。このような可動手段１でもよい。
例えば、リフレクタ６の代わりにＬＥＤ３ａを移動して照明方向を変えても構わない。このように、リフレクタ６の位置を調整することにより、照明の範囲を拡大、または、縮小することができる。リフレクタ６の可動手段１は、一例である。
【００３５】
＜ダミーユニットの構成＞
図４は、本発明のダミーユニットを示し、（ａ）は正面図、（ｂ）は平面図、（ｃ）は背面図である。図４の（ａ）に示すように、放熱部材４のピッチ長さＬ１、幅Ｌ２は、図１の（ａ）と同様である。
図４の（ｂ）に示すように、ダミーユニット１ａは、照明ユニット１と同じ連続成形材料から形成されており、照明ユニット１とダミーユニット１ａの相違点は、照明ユニット１のＬＥＤ３ａの有無。したがって、プリント基板２も無い。
なお、前記ダミーユニット１ａは、前記照明ユニット１の放熱部材（ヒートシンク）４を転用した場合であるが、ヒートシンクのフィン４ｄのないダミーの放熱部材で構成することもできる。
【００３６】
図５に示すように、ＬＥＤ照明装置１０ａの四角形の構成では、２個の照明ユニット１と、２個のダミーユニット１ａで構成している。
照明ユニット１とダミーユニット１ａからなるＬＥＤ照明装置１０ａの、例えば、四角形の構成の組み合わせは、つぎの３通りある。
照明ユニット１が３個で、ダミーユニット１ａが１個。
照明ユニット１が２個で、ダミーユニット１ａが２個。
照明ユニット１が１個で、ダミーユニット１ａが３個。
したがって、どの組み合わせにも、少なくとも１個のダミーユニット１ａが含まれる。
このように、ダミーユニット１ａの個数を増やすことにより、ワット数を減らすことができることから、ＬＥＤ照明装置１０ａの容積（嵩）を変えずに容易に
照度を変えることができる。
また、ダミーユニット１ａの採用は、明るさの調整だけでなく、デザイン的な面から適宜、照明ユニット１と組み合わせることもできる。
【００３７】
＜リフレクタの可動手段２＞
図６は、図５に示す四角形の構成に、カバーおよびソケットを組み付けたＬＥＤ投光器を示し、（ａ）は平面図、(ｂ)は半断面を含む正面図、（ｃ）は（ｂ）に示すＡ矢視図である。
図６の（ｂ）、（ｃ）に示すように、ＬＥＤ照明装置１０ａを設置場所に設置し、ＬＥＤを点灯して配光角を確認した後、配光角を調整する場合の可動手段２は、例えば、ソケット８から延設されたカバー７の形状を、カバー７の曲線の途中から円筒部７ｃを形成し、少なくとも１箇所にはビス６ｂが長手方向に移動可能に設けられた長穴７ｄを形成する。
つまり、リフレクタ６の上端部を折れ曲げて小片部６ａを形成し、この小片部６ａの裏面にナット６ｎが溶接され、このナット６ｎにカバー７の長穴７ｄを介してビス６ｂが螺入されている。
そこで、指でビス６ｂをつまみ、ビス６ｂによるクランプを弛めてからリフレクタ６をストロークａの範囲内で移動し、配光角を調整した後、クランプする。なお、このナット６ｎのほかに、この小片部にバーリング加工をしてねじ部を形成しても構わない。また、リフレクタ６の可動手段２は、一例であり、その他の方法であっても構わない。
【００３８】
＜３個の照明ユニットによる三角形の構成＞
図７は、３個の照明ユニットを組み付けて環状の三角形にした場合の平面図である。最小の環状の多角形は、３個の照明ユニット１で構成する三角形である。ＬＥＤ照明装置１０ｂは、３個の照明ユニット１を環状に組み付けることにより、平面視で三角形を構成する。
接続部４ａの穴４ｅの３箇所にリップ７ａ（２点鎖線）を設け、リップ７ａに通し穴を設けたカバー７と、このカバーに一体に成形されたソケット８を組み付け、図３と同様に、凸状連結部４ｂに加工された穴４ｅにリップ７ａをねじ７ｂによって固定する（図３参照）。
【００３９】
＜６個の照明ユニットによる六角形の構成＞
図８は、６個の照明ユニットを組み付けて環状の六角形にした場合の平面図である。ＬＥＤ照明装置１０ｃは、６個の照明ユニット１を環状に組み付けることにより、平面視で六角形を構成し、例えば、これは従来の投光器６００Ｗ（中型）相当品である。接続部４ａの上の穴４ｅの６箇所にリップ７ａ（２点鎖線）を設け、リップ７ａに通し穴を設けたカバー７と、このカバー７に一体に成形されたソケット８を組み付け、凸状連結部４ｂに加工された穴４ｅにカバー７のリップ７ａをねじ７ｂによって固定される。
【００４０】
＜八角形の環状ＬＥＤ照明装置の構成＞
図９は、８個の照明ユニットを組み付けて環状の八角形にしたＬＥＤ照明装置の平面図である。ＬＥＤ照明装置１０ｄは、８個の照明ユニット１を環状に組み付けることにより、平面視で八角形を構成し、接続部４ａの上の穴４ｅの８箇所にリップ７ａ（２点鎖線）を設け、リップ７ａに通し穴を設けたカバー７と、このカバーに一体に成形されたソケット８を組み付け、凸状連結部４ｂに加工された穴４ｅにリップ７ａをねじ７ｂによって固定される。
【００４１】
＜面状照明ユニットの構成＞
図１０は、面状のＬＥＤ照明装置を示し、（ａ）は平面状、（ｂ）は曲面状を示す平面図である。図１０に示すように、面状のＬＥＤ照明装置には、平面状のＬＥＤ照明装置と、曲面状のＬＥＤ照明装置の２つある。
図１０の（ａ）に示すＬＥＤ照明装置１０ｆは平面状であり、複数個の照明ユニット１を直線状に連結している。このように直線状に連結してもよい。
また、図１０の（ｂ）に示すＬＥＤ照明装置１０ｇは曲面状であり、複数個の照明ユニット１を曲線状に連結している。このように曲線状に連結しても構わない。
面状とは、鎖のように連結され、環状に形成されていない状態をいう。つまり、前記した図９において、環状に連結された、例えば８箇所の連結部４ａの少なくとも一箇所を離間すれば、環状のＬＥＤ照明装置１０ｄ，１０ｅではなく、面状のＬＥＤ照明装置１０ｆ，１０ｇとなる。
面状のＬＥＤ照明装置１０ｆ，１０ｇは、天井からの吊り下げ式、天井への埋め込み式、壁掛け式、壁への埋め込み式、床への埋め込み等に応用可能である。
【００４２】
なお、本発明はこれらの実施形態のみに限定されるものではなく、本発明の技術的思想に基づく限りにおいて、適宜に変更することが可能である。
＜変形例＞
図１１は、環状の八角形の場合を示す平面図である。ＬＥＤ照明装置１０ｅは、８個の照明ユニット１により八角形を構成している。図９との相違点は、照明ユニット１のＬＥＤ３ａを八角形の外側に配置している点である。このような構成にしても構わない。このような配置にすることにより、光源が広がるため、高範囲を照明できる。一般住宅用のＬＥＤ照明装置１０ｅに好適である。
放熱部材４の連結部４ａは、凸状連結部４ｂと凹状連結部４ｃとを反対に配置しても構わない。
また、放熱部材４の連結部４ａは、蝶番のように、複数の凸状連結部４ｂと複数の凹状連結部４ｃとを交互に設けて嵌合させ、さらに、ピンを設けて連結しても構わない。
さらに、放熱部材４の連結部４ａは、プリント基板２側の一部として一体形状にしても構わない。さらに、放熱部材４の両端の連結部４ａは、放熱部材４及び／またはプリント基板２と組み立てられる別個の部材とすることもできる。
また、ソケット８（図３、図６参照）は、コンセントに接続可能なプラグ、その他の接続部材に変えてもよい。
さらに、環状の例として三角形、四角形、六角形、八角形等を紹介したが、この他に五角形、七角形、九角形、その他の多角形であっても構わない。
【符号の説明】
【００４３】
１  照明ユニット
１ａ  ダミーユニット
２  基板（プリント基板）
３  ＬＥＤモジュール
３ａ  ＬＥＤ
３ｂ  搭載基板
４  放熱部材（ヒートシンク）
４ａ  連結部
４ｂ  凸状連結部（連結部）
４ｃ  凹状連結部（連結部）
４ｄ  フィン（放熱部）
４ｅ  穴
４ｆ  板状ベース
５  レンズ
６  リフレクタ
６ａ  小片部
６ｂ  ビス
６ｎ  ナット
７  カバー
７ａ  リップ片
７ｂ  ねじ
７ｃ  円筒部
７ｄ  長穴
８  ソケット
８ａ  ガイド
８ｂ  ビス
８ｃ  ストッパ
８ｄ  窪み
８ｅ  絶縁樹脂材
１０，１０ａ〜１０ｇ  ＬＥＤ照明装置
【要約】 
【課題】ワット数に大型、中型、小型のサイズ違いがあっても、パーツのユニット化により共通化を図り、種類を少なくして製造コスト、管理コストの低減を図ることができるＬＥＤ照明装置を提供する。
【解決手段】ＬＥＤ照明装置１０は、基板２と、基板２に配置されたＬＥＤ３ａと、基板２の背面に設けられ、両端に連結部４ａが設けられた放熱部材４と、を有する照明ユニット１を備え、複数の前記照明ユニット１の前記連結部４ａをそれぞれ連結して形成することを特徴とする。
【選択図】図２【図１】
0005444484.tif 000002
【図２】
0005444484.tif 000003
【図３】
0005444484.tif 000004
【図４】
0005444484.tif 000005
【図５】
0005444484.tif 000006
【図６】
0005444484.tif 000007
【図７】
0005444484.tif 000008
【図８】
0005444484.tif 000009
【図９】
0005444484.tif 000010
【図１０】
0005444484.tif 000011
【図１１】
0005444484.tif 000012
【図１２】
0005444484.tif 000013
【図１３】
0005444484.tif 000014